(57)【要約】      （修正有）【課題】電波通信が困難な空間において、確実に情報伝達することができる情報伝達装置を提供する。【解決手段】工場等の特定の施設１２の天井部１２Ｂに撮像部１８を配置し、施設１２内に設置された複数の設備機器１４のそれぞれに発光部１６を有する送信部１０Ｂを取り付ける。発光部１６からは、各設備機器１４から送出するべき機器情報を色パターンに変換し、発光部１６から発光する。発光した光が光軸が撮像部１８に向けられていなくても、発光点を撮像することで、色パターンを撮像することができる。撮像した画像から色パターンを抽出し、識別情報及び機器情報を復元（復号）すると共に、発光部の座標位置を特定する。特定した設備機器の種類、位置、機器情報を合成して設備機器を一括管理するメインコントローラへ出力する。【選択図】図１
2019164546.tif 000002
【特許請求の範囲】
【請求項１】
特定の領域に存在する複数の制御対象の各々に取り付けられ、複数の制御対象の各々から得た元情報を、色パターン画像に変換して発信する複数の発信手段と、
前記特定の領域を撮像する撮像手段と、
前記撮像手段で撮像された前記特定の領域の画像を基準とした、前記色パターン画像の座標情報から、前記複数の制御対象の各々の位置を特定する特定手段と、
前記撮像手段で撮像された色パターン画像を前記元情報に復元する復元手段と、
前記特定手段で特定された制御対象の位置を示す位置情報と、前記復元手段で復元された元情報とを関連付けて出力する出力手段と、
を有する情報伝達装置。
【請求項２】
前記制御対象が、前記特定の領域を移動可能な場合は、前記元情報に、当該元情報を得た制御対象の種類を識別する識別情報を付加し、予め記憶した制御対象の種類と識別情報とを関連付けたテーブルと、前記復元手段で復元された識別情報とに基づいて、前記特定手段で位置が特定された制御対象の種類を判別することを特徴とする請求項１記載の情報伝達装置。
【請求項３】
前記制御対象が、前記特定の領域に固定配置されている場合は、予め記憶した制御対象の種類と座標情報とを関連付けたテーブルと、前記特定手段で特定された座標情報とに基づいて、前記特定手段で位置が特定された制御対象の種類を判別することを特徴とする請求項１記載の情報伝達装置。
【請求項４】
前記撮像手段が、前記制御対象に取り付けられた複数の発信手段の各々との間に障害物が存在しない位置に配置されることを特徴とする請求項１〜請求項３の何れか１項記載の情報伝達装置。
【請求項５】
前記撮像手段が、前記制御対象に取り付けられた複数の発信手段の各々との間に障害物が存在する場合は、前記障害物を迂回して前記撮像手段に元情報を案内することを特徴とする請求項１〜請求項３の何れか１項記載の情報伝達装置。
【請求項６】
前記色パターン画像が、色の三要素である色相、明度、及び彩度の少なくとも１つを異ならせた複数種類の色情報を、一定の周期で時系列に発光する光信号であることを特徴とする請求項１〜請求項５の何れか１項記載の情報伝達装置。
【発明の詳細な説明】
【技術分野】
【０００１】
本発明は、色パターンを用いて情報を伝達する情報伝達装置に関するものである。
【背景技術】
【０００２】
特許文献には、視覚的に通信状態を把握でき、また、情報とその情報が発信されている位置情報を関連付けることを目的として、最小の構成単位が、可視光範囲の複数色を表示し、時間軸に沿って表示色を変化させるコードから構成される２次元マトリックスコードと、デジタルデータをマトリックスコードの一定時間の色パターンデータに変換する変換コードとを用いる無線通信システムが記載されている。
【０００３】
特許文献２には、光タグが認識できなくなった場合でも、高精度で被写体を追尾することを目的として、発光ユニットが発光する任意の情報を含む可視光を撮像手段で受光し、当該可視光に含まれる情報を取得する撮像装置であって、可視光通信に先立って、第１の識別情報と前記第１の識別情報に関連付いた前記第１の識別情報とは異なる第２の識別情報が記録されている記録手段を備え、前記第１の識別情報は、前記可視光に含まれている前記発光ユニット自体を示す情報であり、前記第２の識別情報は、前記可視光通信とは異なる画像認識のための情報であることを特徴とする撮像装置が記載されている。
【先行技術文献】
【特許文献】
【０００４】
【特許文献１】特開２００６−９２１０７号公報
【特許文献２】特開２０１７−１１２５０４号公報
【発明の概要】
【発明が解決しようとする課題】
【０００５】
従来技術（特に、特許文献１）では、カラーマトリックスコードを発光源として適用しており、厳密には色の配置パターンが情報となっており、撮像部での撮像解像度によっては解読できない場合がある。
【０００６】
特許文献１の段落番号００３４に二次元バーコードより遠い距離で読み取ることが可能である旨が記載されているが、比較対象が二次元バーコードであり、実際には、比較的に近距離での送受信が主体であり、広い空間（工場や病院等）での適用の示唆はない。
【０００７】
また、特許文献１の段落番号００３６には、画像中に複数のマトリックスコードが存在してもそれぞれの画像中の位置を判定し表示することが容易である旨が記載されているが、発明の詳細な説明全体の構成から推測すると、同時に撮像した画像（静止画像）の中に存在する複数の位置を判定するものであり、送受信側で同期をとる必要がある。
【０００８】
なお、参考として、特許文献２には、ユーザーの手首等に装着される発光タグから発光する色パターンを含む可視光を撮像装置２０において受光することが記載されており、撮像画像が動画であることが言及されている。
【０００９】
しかし、複数の色パターンを同時に解析する旨の記載はない。
【００１０】
本発明は、電波通信が困難な空間において、確実に情報伝達することができる情報伝達装置を得ることが目的である。
【課題を解決するための手段】
【００１１】
本発明は、特定の領域に存在する複数の制御対象の各々に取り付けられ、複数の制御対象の各々から得た元情報を、色パターン画像に変換して発信する複数の発信手段と、前記特定の領域を撮像する撮像手段と、前記撮像手段で撮像された前記特定の領域の画像を基準とした、前記色パターン画像の座標情報から、前記複数の制御対象の各々の位置を特定する特定手段と、前記撮像手段で撮像された色パターン画像を前記元情報に復元する復元手段と、前記特定手段で特定された制御対象の位置を示す位置情報と、前記復元手段で復元された元情報とを関連付けて出力する出力手段と、を有している。
【００１２】
本発明において、前記制御対象が、前記特定の領域を移動可能な場合は、前記元情報に、当該元情報を得た制御対象の種類を識別する識別情報を付加し、予め記憶した制御対象の種類と識別情報とを関連付けたテーブルと、前記復元手段で復元された識別情報とに基づいて、前記特定手段で位置が特定された制御対象の種類を判別することを特徴としている。
【００１３】
本発明において、前記制御対象が、前記特定の領域に固定配置されている場合は、予め記憶した制御対象の種類と座標情報とを関連付けたテーブルと、前記特定手段で特定された座標情報とに基づいて、前記特定手段で位置が特定された制御対象の種類を判別することを特徴としている。
【００１４】
本発明において、前記撮像手段が、前記制御対象に取り付けられた複数の発信手段の各々との間に障害物が存在しない位置に配置されることを特徴としている。
【００１５】
本発明において、前記撮像手段が、前記制御対象に取り付けられた複数の発信手段の各々との間に障害物が存在する場合は、前記障害物を迂回して前記撮像手段に元情報を案内することを特徴としている。
【００１６】
本発明において、前記色パターン画像が、色の三要素である色相、明度、及び彩度の少なくとも１つを異ならせた複数種類の色情報を、一定の周期で時系列に発光する光信号であることを特徴としている。
【００１７】
本発明によれば、遠隔の複数の制御対象である情報源からの元情報が盛り込まれた色パターン画像を一括で撮像して、色パターン画像を解析することで、それぞれの元情報を得ることができる。また、送受信側の相互の連携（同期）がなくても、撮像した画像の座標に基づき、制御対象の位置や種類を特定することができる。
【発明の効果】
【００１８】
以上説明した如く本発明では、電波通信が困難な空間において、確実に情報伝達することができる。
【図面の簡単な説明】
【００１９】
【図１】本実施の形態に係る情報伝達装置を用いて、特定の施設に設置された設備機器から、色パターンを用いて情報を得るための概略図である。
【図２】本実施の形態に係る情報伝達装置を構成する、制御装置と送信部との間で実行される色パターンの送受信を実行するための機能ブロック図である。
【図３】情報伝達装置の送信部における、発光制御ルーチンを示すフローチャートである。
【図４】情報伝達装置の制御装置における、機器情報管理制御ルーチンを示すフローチャートである。
【図５】（Ａ）は、送信部の発光部から発光される色パターンの一例、（Ｂ）は制御装置の撮像部で撮像した画像をｘ−ｙ座標テーブルに配置した一例、（Ｃ）は図４のステップ１２２で生成する識別機器の種類、位置、及び機器情報の合成例である。
【発明を実施するための形態】
【００２０】
図１は、本実施の形態に係る情報伝達装置１０が適用された施設１２の全体構成を示す正面図である。
【００２１】
情報伝達装置１０は、制御装置１０Ａ及び制御装置１０Ａへ情報を送信する送信部１０Ｂを備える。
【００２２】
施設１２は、例えば、ビルや工場に設けられた空間であり、基本的に床部１２Ａ、天井部１２Ｂ、並びに四方の縦壁部１２Ｃによって、矩形状の特定の領域が形成されている。なお、特定の領域の形状は、矩形状に限定されるものでなはなく、ビルや工場の設計に依存するものであり、特に形状が限定されるものではない。
【００２３】
床部１２Ｂには、施設１２に必要な制御対象としての複数の設備機器１４が配置されている。設備機器１４は、本実施の形態に係る情報伝達装置１０の情報源となる。すなわち、設備機器１４は、情報伝達装置１０の一部を構成する発信手段としての送信部１０Ｂを備えている。
【００２４】
送信部１０Ｂは、設備機器１４に関する情報を、情報伝達装置１０の制御装置１０Ａへ送信する。送信部１０Ｂから制御装置１０Ａへの送信機能についての詳細は、後述するが、この送信部１０Ｂからの情報の送信により、情報伝達装置１０には、複数の設備機器１４に関する情報が集約される。
【００２５】
ところで、施設１２において、情報伝達装置１０と各設備機器１４との間で情報を伝達する手段として有線による配線が困難な場合がある。
【００２６】
配線が困難な場合の要因としては、配線設備の空間確保及び配線設備の部品量の増大が挙げられる。また、施設１２に点在する複数の設備機器１４に取り付けられた送信機能と、情報伝達装置１０の制御装置１０Ａとを、有線で接続するときの、所謂取り回しによっては、施設の外観を損ねたり、関係者の移動空間の妨げとなったりする場合がある。さらに、既存の施設の完成後の有線の配線工事は、施設自体の工事中の配線工事よりも作業性が低下する。
【００２７】
一方、有線に代えて、施設１２に点在する複数の設備機器１４に取り付けられた送信機能から、情報伝達装置１０の制御装置１０Ａとの間を、無線により情報伝達することが考えられる。
【００２８】
しかし、無線による情報伝達の場合、施設１２によっては利用できる電波の周波数や、出力強度に制限があり、確実に情報伝達できない場合がある。
【００２９】
そこで、本実施の形態では、施設１２に点在する複数の設備機器１４に取り付けられた送信部１０Ｂと、情報伝達装置１０の制御装置１０Ａとの間に光路を確保して、周波数や出力強度が制限されることが少ない光線（赤外線や可視光線等）の発光パターンを用いて情報を伝達する構成を構築した。
【００３０】
図２に示される如く、各設備機器１４には、送信部１０Ｂの出力端デバイスとして、それぞれの異なる色パターンで発光する発光部１６が取り付けられている。
【００３１】
発光部１６から発光する光は、指向性が広い拡散光（例えば、発光部１６から９０°前後に拡散して発光）であり、光軸は、施設１２の天井部１２Ｂに向けられている。このため、全ての発光部１６からの光が、情報伝達装置１０の制御装置１０Ａに到達可能となっている。
【００３２】
本実施の形態の設備機器１４は、それぞれ予め定められたプログラム等に従い動作する。それぞれの設備機器１４の動作に関する情報（機器情報という）は、送信部１０Ｂを介して情報伝達装置１０の制御装置１０Ａへ送信された後、複数の設備機器１４を一括制御するメインコントローラ（図示省略）へ送出されることで、各設備機器１４の動作を連携させ、かつ、フィードバック制御するための重要なファクタとして適用される。
【００３３】
本実施の形態において、送信部１０Ｂの発光部１６が発光する色パターンは、制御装置１０Ａの撮像装置１８によって撮像されるようになっている。撮像装置１８では、その光軸が施設１２の床部１２Ａを撮像するように向けられており、同時に複数の設備機器１４が撮像可能である。発光した色パターンは、光軸が撮像部１８に向けられていなくても、発光点を撮像することで、色パターンを時系列で撮像することができる。なお、撮像装置１８は天井部１２Ａに取り付けているが、監視対象の全ての設備機器１４が撮像可能であれば、縦壁部１２Ｃであってもよい。
【００３４】
撮像装置１８での撮像画像は、床部１２Ａの平面画像（二次元画像）であり、各位置をｘ−ｙ軸の座標として表現可能である。
【００３５】
このとき、設備機器１４に取り付けられた送信部１０Ｂの発光部１６が、それぞれの色パターンで発光していると、色パターンに変換された情報を受信可能であると共に、それぞれの発光点が、それぞれの設備機器１４の位置座標点となる。
【００３６】
図２は、本実施の形態に係る情報伝達装置１０を機能別に分類したブロック図である。なお、各ブロックは、情報伝達装置１０のハード構成を限定するものではない。
【００３７】
情報伝達装置１０は、施設１２の天井部１２Ｂ（図１参照）に取り付けられた制御装置１０Ａと、複数の設備機器１４（図１参照）に取り付けられた複数の送信部１０Ｂとを備える。なお、複数の送信部１０Ｂが同一構成であるため、図２では、１つの送信部１０Ｂの構成を説明し、その他の送信部１０Ｂの構成の説明は省略する。
【００３８】
送信部１０Ｂは、機器情報取得部２０を備えている。機器情報取得部２０は、設備機器１４の図示しない機器コントローラから機器情報を取得する。
【００３９】
機器情報は、設備機器１４の動作に関する情報である。例えば、工業製品の生産のための設備機器１４であれば、各種センサやデバイスの動作状態を含む生産時の履歴情報が主体となる。また、医療関係の設備機器１４であれば、当該設備機器１４自体の履歴情報に加え、被検査者の検査結果情報が含まれる場合がある。すなわち、機器情報は、複数の設備機器１４から一括に集約し、管理する必要のある情報の全てを含む。
【００４０】
機器情報取得部２０は、情報変換部２２に接続されている。情報変換部２２では、機器情報取得部２０で取得した機器情報を、予め定めた色パターンに変換する。
【００４１】
色パターンの一例としては、機器情報をパルス信号に変換して、時系列で機器情報を出力するのが一般的である。例えば、複数色を一定周期で色を複数回変化させた一連の色信号を１データとする。
【００４２】
なお、色の種類は、三原色に限定されず、制御装置１０Ａ側で判別可能であれば、他の周波数の可視光線（例えば、波長３６０ｎｍ〜４００ｎｍ）や、可視光線の周波数から逸脱した赤外線や紫外線等の不可視光線であってもよい。
【００４３】
また、１つの色の発光周期（前記一定周期）や、１データの色の変換数も限定されるものではない。
【００４４】
さらに、色パターンによる信号は、バーコードやＱＲコード（登録商標）のように静止画として機器情報を出力するようにしてもよい。また、動画と静止画とを混在させてもよい。
【００４５】
情報変換部２２は、発光ドライバ２４に接続されている。発光ドライバ２４は、情報変換部２２で変換した色パターンによる信号に基づき、発光部１６を制御して色パターンを発光する。
【００４６】
ここで、設備機器１４が、施設１２内で固定配置されていれば、撮像部１８で撮像した画像の座標位置で設備機器１４を特定することが可能である。
【００４７】
しかし、設備機器１４が移動可能であると、受信した色パターンによる機器情報の発信元が特定できない。
【００４８】
そこで、本実施の形態では、ｎ個の色パターンの内、特定の周期分の色パターンで、送信部１０Ｂが取り付けられる設備機器１４を識別する識別情報と位置付けている。色パターンを受信する制御装置１０Ａでは、この識別情報によって設備機器１４を識別する。
【００４９】
制御装置１０Ａは、撮像部１８を備えている。撮像部１８は、施設１２の床部１２Ａを撮像領域としており、点在する設備機器１４に取り付けられた全ての送信部１０Ｂの発光部１６からの色パターンによる信号を撮像する。
【００５０】
撮像部１８は、画像情報取込部２８に接続され、撮像した画像情報（色パターンによる信号を含む）を送出する。
【００５１】
画像情報取込部２８は、取り込んだ画像情報を情報復元部３０及び発光部位置座標特定部３２へ送出する。
【００５２】
情報復元部３０では、色パターンによる信号から、機器情報及び識別情報を復元し、機器情報は合成部３４へ送出し、識別情報は照合部３６へ送出する。
【００５３】
また、発光部位置座標特定部３２では、撮像された画像に基づき、複数の機器情報の発光位置、すなわち、設備機器１４の位置座標を特定し、照合部３６へ送出する。
【００５４】
照合部３６は、識別情報−設備機器種テーブル記憶部３８が接続されている。
【００５５】
照合部３６では、情報復元部３０から識別情報を受け取ると、識別情報−設備機器種テーブル記憶部３８から読み出した識別情報−設備機器種テーブルに基づいて、座標位置が特定された設備機器１４の種類を照合し、合成部３４へ送出する。
【００５６】
なお、上記は設備機器１４が床部１２Ａを移動可能であること前提として、元情報に識別情報を付加しているが、設備機器１４が固定配置である場合は、例えば、識別情報−設備機器種テーブルに代えて、位置情報−設備機器種テーブルを記憶しておくことで、設備機器１４の位置情報（座標情報）から当該設備機器１４の種類を判別することができる。
【００５７】
移動可能な設備機器１４、及び固定配置された設備機器１４が混在する場合は、識別情報−設備機器種テーブル、及び位置情報−設備機器種テーブルの両方を記憶しておけばよい。
【００５８】
合成部３４では、照合部３６から受けた設備機器（種類と位置）と、情報復元部３０から受けた識別情報とが合成され、出力部４０を介して、複数の設備機器１４を一括管理するメインコントローラ（図示省略）へ送出する。
【００５９】
以下に、本実施の形態の作用を、図３及び図４のフローチャートに従い説明する。
【００６０】
図３は、本実施の形態の情報伝達装置１０の送信部１０Ｂにおける、機器情報を色パターンで伝達するための発光制御ルーチンを示すフローチャートである。
【００６１】
ステップ１００では、設備機器１４に取り付けられた送信部１０Ｂの機器情報取得部２０（図２参照）が、設備機器制御系から機器情報を取得したか否かを判断し、肯定判定されると、ステップ１０２へ移行して、機器情報と、当該設備機器１４を識別する識別情報とを予め定めた色パターンに変換する。
【００６２】
次のステップ１０４では、図２に示す発光ドライバ２４が発光部１６を制御して、変換した色パターンでの発光を開始する。本実施の形態では、三原色（ＲＧＢ）を一定周期で色変化させ、所定周期分の数ｎの色信号を１データとしている。発光部１６では、少なくとも１データ分の色パターンを発光する。
【００６３】
次のステップ１０６では、色パターンによる、少なくとも１データ分の色パターンによる信号の送信が終了したか否かを判断し、肯定判定されると、ステップ１０８へ移行して発光を終了し、このルーチンは終了する。
【００６４】
なお、色パターンによる信号は、１データ分に限定されず、繰り返し送信を継続してもよい。例えば、常時、色パターンによる信号を送信し続け、機器情報に変化があった時点で色パターンの変換処理を実行してもよい。
【００６５】
図４は、本実施の形態の情報伝達装置１０の制御装置１０Ａにおける、機器情報管理制御ルーチンを示すフローチャートである。
【００６６】
ステップ１１０では、撮像部１８（図２参照）から撮像画像を取り込み、次いで、ステップ１１２へ移行して、撮像した画像から、送信部１０Ｂの発光部１６から発光している色パターンを抽出する。
【００６７】
次のステップ１１４では、送信部１０Ｂ（発光部１６）の座標から設備機器１４の位置を特定し、ステップ１１６へ移行する。
【００６８】
ステップ１１６では、抽出した色パターンから、機器情報、識別情報を復元し、ステップ１１８へ移行する。
【００６９】
ステップ１１８では、復元した識別情報に基づき、識別情報−設備機器種テーブルを用いて、設備機器１４の種類を特定する。
【００７０】
次のステップ１２０では、ステップ１１４で特定した設備機器１４の位置と、ステップ１１８で特定した設備機器１４の種類とを照合し、ステップ１２２へ移行する。この照合により、例えば、施設１２内を移動している設備機器１４の現在位置での種類が判別可能となる。
【００７１】
ステップ１２２では、設備機器１４の種類、位置、及び機器情報を合成し、次いで、ステップ１２４へ移行して、設備機器１４を一括管理するメインコントローラ（図示省略）へ合成情報を出力し、このルーチンは終了する。
【００７２】
本実施の形態によれば、施設１２に点在している設備機器１４からの機器情報を集約する場合に、三原色の色パターンによる信号を用いた光学信号伝達系を用いることで、物理的な信号線の敷設による有線信号伝達系や、周波数や強度が制限される無線信号伝達系が適用できない場合、或いは、適用が困難場合の有用な信号伝達系を構築することができる。
【００７３】
また、色パターンによる信号は、相互に干渉し合うことがなく、複数の設備機器１４から同時に出力されても、確実に制御装置１０Ａの撮像部１８で受信することができる。
【００７４】
さらに、撮像部１８で撮像した二次元画像により、各設備機器１４に取り付けられた送信部１０Ｂの発光部１６から発光される位置座標を特定することができる。
【００７５】
また、本実施の形態では、色パターンによる信号の一部に、設備機器１４の種類を識別するための識別情報を付加しているため、仮に、設備機器１４が施設１２内を移動したとしても、複数の設備機器１４からの機器情報を混信することなく、受信することができる。
【００７６】
図５（Ａ）は、送信部１０Ｂの発光部１６から発光される色パターンの一例である。１周期毎に異なる色を発光し、１データ分の周期を送信する。この１データ分の各色の組み合わせ（色パターン）が設備機器１４の識別情報と機器情報のコード情報となる。
【００７７】
図５（Ｂ）は、制御装置１０Ａの撮像部１８で撮像した画像（図５（Ｂ）の点線が撮像画角）をｘ−ｙ座標テーブルに配置した一例である。
【００７８】
このｘ−ｙ座標テーブルに発光部１６からの光の位置をプロットすることで、発光部１６（設備機器１４）の位置（ｘ，ｙ）を特定することができる。また、それぞれの発光部１６から発光する色パターンの一部により識別情報（ＩＤ）を特定することができる．
【００７９】
図５（Ｃ）は、図４のステップ１２２で生成する、設備機器１４の種類、位置、及び機器情報の合成例である。図５（Ｃ）では、設備機器１４毎にファイル化して管理しており、時系列（取得時刻毎）の機器情報内容を羅列すると共に、それぞれの機器情報の重要度を判別している。重要度の判別には、例えば、ＡＩ等の人工知能を用いることで、情報の重要性を判断した上で、設備機器１４を一括管理するメインコントローラへ送信することができる。
【００８０】
なお、本実施の形態において、設備機器１４に取り付けられた送信部１０Ｂの発光部１６が、撮像部１８によって必ず撮像可能となるように配置しているが、発光部１６と撮像部１８とを結ぶ直線上に光路を遮る障害物が存在した場合には、反射鏡やプリズム等、光を偏向可能な光偏向部材を介在させ、発光部１６から発する光（色パターン）を撮像装置１８へ案内するようにしてもよい。
【００８１】
また、本実施の形態では、色パターンを発光部１６から発光する光の色によって生成したが、紙媒体等に色パターン（バーコード、ＱＲコード（登録商標）等）を画像形成（プリント）して、撮像部１８で撮像する構成であってもよい。また、色は、色相に限らず、明度や彩度によって異なる色パターンを形成してもよい。
【００８２】
さらに、本実施の形態では、撮像部１８で撮像した画像の中から、全ての発光部１６から発光する色パターンを抽出するようにしたが、グループ別に適用する色を変えて、撮像した画像にフィルタ等をかけることで、特定のグループのみの色パターンを選択するようにしてもよい。
【実施例】
【００８３】
以下に、本実施の形態の情報伝達装置１０が適用可能な施設の具体例を示す。
【００８４】
（施設１２の具体例１）
【００８５】
施設１２が生産施設である。
【００８６】
生産施設（工場等）では、設備機器１４が、製品を製造する各工程の製造機器に相当する。
【００８７】
すなわち、生産施設では、情報伝達装置１０の制御装置１０Ａが、製造機器に設けられた送信機能から、それぞれの工程で生じる事象情報（工程監視情報、異常情報等）を受けて、製品の製造に関する進捗情報を一括管理する。生産施設は、工場に限らず、建築現場、酪農倉庫等を含む。
【００８８】
（施設１２の具体例２）
【００８９】
施設１２が健康管理施設である。
【００９０】
健康管理施設では、設備機器１４が、患者を診断する診断装置や、患者の健康状態を監視する監視装置に相当する。
【００９１】
すなわち、健康管理施設では、情報伝達装置１０の制御装置１０Ａが、それぞれの診断装置及び監視装置に設けられた送信機器から、当該患者の診断装置による診断情報、及び監視装置で監視している監視情報を受けて、当該病院における患者の診療に関する進捗状況を一括管理する。
【００９２】
なお、健康管理施設は、病院に限らず、一般のオフィスビルで働く従業員に、脈拍や血圧等を計測する計測機器（設備機器１４)を装着し、計測機器からの情報を制御装置１０Ａを介して、診断装置や監視装置を一括管理するメインコントローラに集約して、従業員の健康管理する特別施設等、他の健康管理施設を含む。
【００９３】
なお、施設１２の具体例は、上記具体例１（生産施設）及び具体例２(健康管理施設)に限定されるものではなく、情報を取得する必要のある複数の設備機器１４が配置された空間（公共施設、商業施設、一般住宅、仮設のイベント会場等）であれば、本実施の形態の施設１２に該当する。
【００９４】
例えば、イベント会場において、色パターンを形成する色を年齢層でグループ分けして、年齢層毎の移動軌跡等の統計をとる共に、元情報として、購入した品物の情報を得るようにしてもよい。
【符号の説明】
【００９５】
１０    情報伝達装置
１０Ａ    制御装置
１０Ｂ    送信部（発信手段）
１２    施設
１２Ａ    床部
１２Ｂ    天井部
１２Ｃ    縦壁部
１４    設備機器
１６    発光部（発信手段）
１８    撮像部（撮像手段）
２０    機器情報取得部
２２    情報変換部
２４    発光ドライバ
２８    画像情報取込部
３０    情報復元部
３２    発光部位置座標特定部（特定手段）
３４    合成部（出力手段）
３６    照合部
３８    識別情報−設備機器種テーブル記憶部
４０    出力部（出力手段）
【図１】
2019164546.tif 000003
【図２】
2019164546.tif 000004
【図３】
2019164546.tif 000005
【図４】
2019164546.tif 000006
【図５】
2019164546.tif 000007